(57)【要約】【課題】複数のユーザによって独立的に共用される機器の操作権限の放置を抑止する「車載システム及び操作権限制御方法」を提供する【解決手段】各座席に対応して配置されたモニタシステム１-４のモニタ制御部１４は、各座席のユーザの着席／離席を監視する車内監視装置８から、対応する座席からのユーザの離席を通知されたならば、自モニタシステムをスリープ状態に設定し、自モニタシステムが操作権限を持つ機器（第１ＤＶＤプレイヤ５、第２ＤＶＤプレイヤ６またはデジタルＴＶ放送チューナ７）に電源断を指示し、所定のタイムアウト時間（たとえば、５分）が経過するのを待つ。そして、タイムアウト時間経過前に、対応する座席へのユーザの着席が通知されたならば、機器の電源を再投入しスリープ状態を解除する。一方、そのままタイムアウト時間が経過した場合には、機器の操作権限を解放する。【選択図】図１
2006096226.tif 000002
【特許請求の範囲】
【請求項１】
自動車に搭載される車載システムであって、
自動車の各座席に搭乗した複数のユーザによって共用される１または複数の機器と、
前記機器の操作入力を前記ユーザから受け付ける、各々各座席に対応して設けられた複数の端末装置と、
自動車の各座席へのユーザの搭乗状態を検出するユーザ搭乗状態検出手段と、
前記ユーザの操作入力に応じて前記機器の操作を行うことのできる権限である操作権限がいずれの端末装置にも付与されていない場合に、前記端末装置からの要求に応じて、当該機器の操作権限を当該要求元の端末装置に付与する操作権限制御手段とを有し、
前記操作権限制御手段は、前記ユーザ搭乗状態検出手段がユーザの離席を検出した場合に、当該ユーザが離席した座席に対応する端末装置に前記機器の操作権限が付与されているときには、当該端末装置への操作権限の付与を取り消すことを特徴とする車載システム。
【請求項２】
請求項１記載の車載システムであって、
前記操作権限制御手段は、前記ユーザ搭乗状態検出手段がユーザの離席を検出した場合に、当該ユーザが離席した座席に対応する端末装置に前記機器の操作権限が付与されているときには、当該端末装置への操作権限の付与を取り消すと共に、当該取消から所定期間内に、前記ユーザ搭乗状態検出手段がユーザの着席を検出した場合であって、当該着席の検出時点において前記ユーザが離席した座席に対応する端末装置に付与されていた前記機器の操作権限がいずれの端末装置にも付与されていないときには、当該ユーザが着席した座席に対応する端末装置に、前記ユーザが離席した座席に対応する端末装置に付与されていた前記機器の操作権限を付与することを特徴とする車載システム。
【請求項３】
請求項１記載の車載システムであって、
前記操作権限制御手段は、前記ユーザ搭乗状態検出手段がユーザの離席を検出した場合に、当該ユーザが離席した座席に対応する端末装置に前記機器の操作権限が付与されているときには、当該端末装置への操作権限の付与を取り消すと共に、当該取消から所定期間内に、前記ユーザ搭乗状態検出手段が前記ユーザが離席した座席へのユーザの着席を検出した場合であって、当該着席の検出時点において前記ユーザが離席した座席に対応する端末装置に付与されていた前記機器の操作権限がいずれの端末装置にも付与されていないときには、当該ユーザが着席した座席に対応する端末装置に、前記ユーザが離席する前に当該端末装置に付与されていた前記機器の操作権限を再付与することを特徴とする車載システム。
【請求項４】
自動車に搭載される車載システムであって、
自動車の各座席に搭乗した複数のユーザによって共用される１または複数の機器と、
前記機器の操作入力を前記ユーザから受け付ける、各々各座席に対応して設けられた複数の端末装置と、
自動車の各座席へのユーザの搭乗状態を検出するユーザ搭乗状態検出手段と、
前記ユーザの操作入力に応じて前記機器の操作を行うことのできる権限である操作権限がいずれの端末装置にも付与されていない場合に、前記端末装置からの前記機器の操作権限の要求に応じて、当該機器の操作権限を当該要求元の端末装置に付与する操作権限制御手段とを有し、
前記操作権限制御手段は、前記ユーザ搭乗状態検出手段がユーザの離席を検出した場合に、当該ユーザが離席した座席に対応する端末装置に前記機器の操作権限が付与されているときにであって、当該離席の検出から所定期間内に、前記ユーザ搭乗状態検出手段がユーザの着席を検出した場合に、当該ユーザが着席した座席に対応する端末装置に、当該記ユーザが離席した座席に対応する端末装置に付与されていた前記機器の操作権限を移動し、前記離席の検出から所定期間内に、前記ユーザ搭乗状態検出手段がユーザの着席を検出しなかった場合に、ユーザが離席した座席に対応する端末装置の前記機器の操作権限の付与を取り消すことを特徴とする車載システム。
【請求項５】
自動車に搭載される車載システムであって、
自動車の各座席に搭乗した複数のユーザによって共用される１または複数の機器と、
前記機器の操作入力を前記ユーザから受け付ける、各々各座席に対応して設けられた複数の端末装置と、
自動車の各座席へのユーザの搭乗状態を検出するユーザ搭乗状態検出手段と、
前記ユーザの操作入力に応じて前記機器の操作を行うことのできる権限である操作権限がいずれの端末装置にも付与されていない場合に、前記端末装置からの前記機器の操作権限の要求に応じて、当該機器の操作権限を当該要求元の端末装置に付与する操作権限制御手段とを有し、
前記操作権限制御手段は、前記ユーザ搭乗状態検出手段がユーザの離席を検出した場合に、当該ユーザが離席した座席に対応する端末装置に前記機器の操作権限が付与されているときであって、当該離席の検出から所定期間内に、前記ユーザ搭乗状態検出手段がユーザの前記離席を検出した座席へのユーザの再着席を検出しなかった場合に、ユーザが離席した座席に対応する端末装置の前記機器の操作権限の付与を取り消すことを特徴とする車載システム。
【請求項６】
請求項１、２、３、４または５記載の車載システムであって、
前記ユーザ搭乗状態検出手段がユーザの離席を検出した場合に、当該ユーザが離席した座席に対応する端末装置に操作権限が付与されているときには、当該端末装置に操作権限が付与されている前記機器を停止状態または待ち受け状態に制御する機器状態制御手段を有することを特徴とする車載システム。
【請求項７】
請求項１、２、３、４、５または６記載の車載システムであって、
前記ユーザ搭乗状態検出手段がユーザの離席を検出した場合に、当該ユーザが離席した座席に対応する端末装置を停止状態または待ち受け状態に制御する端末状態制御手段を有することを特徴とする車載システム。
【請求項８】
請求項１、２、３、４、５、６または７記載の車載システムであって、
前記１または複数の機器は、音声と映像との少なくとも一方を出力するＡＶ機器であって、
前記端末装置は、当該端末装置に操作権限が付与されている前記ＡＶ機器が出力する映像を表示する表示装置と当該端末装置に操作権限が付与されている前記ＡＶ機器が出力する音声を出力する音声出力装置とのうちの少なくとも一方と、前記機器の操作入力を前記ユーザから受け付ける入力装置とを備えていることを特徴とする車載システム。
【請求項９】
自動車の各座席に搭乗した複数のユーザによって共用される１または複数の機器と、前記機器の操作入力を前記ユーザから受け付ける、各々各座席に対応して設けられた複数の端末装置とを備えた車載システムにおいて、前記ユーザの操作入力に応じて前記機器の操作を行うことのできる権限である操作権限を制御する操作権限制御方法であって、
前記機器の操作権限がいずれの端末装置にも付与されていない場合に、前記端末装置からの前記機器の操作権限の要求に応じて、当該機器の操作権限を当該要求元の端末装置に付与するステップと、
自動車の各座席へのユーザの搭乗状態を検出するステップと
ユーザの離席を検出した場合に、当該ユーザが離席した座席に対応する端末装置に前記機器の操作権限が付与されているときには、当該端末装置への操作権限の付与を取り消すステップとを有することを特徴とする操作権限制御方法。
【発明の詳細な説明】
【技術分野】
【０００１】
本発明は、自動車に搭乗した複数のユーザによって共用される機器を含んで構成される車載システムに関するものである。
【背景技術】
【０００２】
自動車に搭乗した複数のユーザによって共用される機器を含んで構成される車載システムとしては、自動車の各座席毎に設けられたディスプレイと、任意のディスプレイに映像を出力するＴＶやビデオ再生装置を備えた車載ＡＶシステムが知られている。
また、このような車載ＡＶシステムにおける電力制御の技術としては、自動車の各座席の乗員の有無を検知するセンサを備え、アクセサリ電源（ＡＣＣ）オン操作時に、前回のアクセサリ電源オフ時に電源投入状態にあったディスプレイであって、乗員が存在する座席のディスプレイのみ電源のみを自動的に投入する技術が知られている（たとえば、特許文献１）。
【特許文献１】特開２００１-３５４０８７号公報
【発明の開示】
【発明が解決しようとする課題】
【０００３】
さて、前述したような動車の各座席毎に設けられたディスプレイと、任意のディスプレイに映像を出力するＴＶやビデオ再生装置を備えた車載ＡＶシステムを、自動車の各座席の搭乗者がそれぞれ独立して利用可能とするために、各座席毎に車載ＡＶシステムの操作用の入力装置を備えるようにすることが考えられる。そして、このようにＡＶシステムを構成した場合には、特定のディスプレイにビデオ出力を行っているＴＶやビデオ再生装置の操作は、当該特定のディスプレイを視聴するユーザのＡＶシステム利用の独立性を確保するために、当該特定のディスプレイと同じ座席用の入力装置からのみ行えるように制限する必要が生じる。
【０００４】
一方で、このような制限を行うと、たとえば、ある座席でＴＶを視聴していたユーザが、ＴＶの視聴を終了することなく途中下車してしまった場合、その後、他の座席に残ったユーザは当該ＴＶの操作を行うことができなくなってしまうことになる。そして、結果、他の座席に残ったユーザのＡＶシステムの利用を不必要に制限してしまうことになる。
【０００５】
そこで、本発明は、自動車に搭乗した複数のユーザによって共用される機器を含んで構成される車載システムにおいて、各ユーザの機器利用の独立性を確保しつつ、各ユーザの車載システムの利用を不必要に制限しない車載システムを提供することを課題とする。
【課題を解決するための手段】
【０００６】
前記課題達成のために、本発明は、自動車に搭載される車載システムを、自動車の各座席に搭乗した複数のユーザによって共用される１または複数の機器と、前記機器の操作入力を前記ユーザから受け付ける、各々各座席に対応して設けられた複数の端末装置と、自動車の各座席へのユーザの搭乗状態を検出するユーザ搭乗状態検出手段と、前記ユーザの操作入力に応じて前記機器の操作を行うことのできる権限である操作権限がいずれの端末装置にも付与されていない場合に、前記端末装置からの前記機器の操作権限の要求に応じて、当該機器の操作権限を当該要求元の端末装置に付与する操作権限制御手段とを含めて構成し、前記操作権限制御手段において、前記ユーザ搭乗状態検出手段がユーザの離席を検出した場合に、当該ユーザが離席した座席に対応する端末装置に前記機器の操作権限が付与されているときには、当該端末装置への操作権限の付与を取り消すようにしたものである。
【０００７】
このような車載システムによれば、ある座席で操作権限を持って機器を利用していたユーザが、機器の利用の終了操作を行って操作権限を解放することなく途中下車してしまった場合には、自動的に、このユーザが使用していた端末装置への機器の操作権限の付与は取り消され、この機器の操作権限を他の端末装置が自由に取得できる状態となる。したがって、他の座席に残ったユーザの、この機器の利用を不必要に制限してしまうことがない。
【０００８】
ここで、このような車載システムは、前記操作権限制御手段において、前記ユーザ搭乗状態検出手段がユーザの離席を検出した場合に、当該ユーザが離席した座席に対応する端末装置に前記機器の操作権限が付与されているときには、当該端末装置への操作権限の付与を取り消すと共に、当該取消から所定期間内に、前記ユーザ搭乗状態検出手段がユーザの着席を検出した場合であって、当該着席の検出時点において前記ユーザが離席した座席に対応する端末装置に付与されていた前記機器の操作権限がいずれの端末装置にも付与されていないときには、当該ユーザが着席した座席に対応する端末装置に、前記ユーザが離席した座席に対応する端末装置に付与されていた前記機器の操作権限を付与するようにしてもよい。
【０００９】
このようにすることにより、ある座席で操作権限を持って機器を利用していたユーザが席を移った場合には、この間に他のユーザがこの機器の操作権限を新たに取得していない限り、このユーザは新しい座席で、元の座席にいたときと同じ操作権限をもって元の座席にいたときと同様に機器を利用し続けることができるようになる。
または、このような車載システムは、前記操作権限制御手段において、前記ユーザ搭乗状態検出手段がユーザの離席を検出した場合に、当該ユーザが離席した座席に対応する端末装置に前記機器の操作権限が付与されているときには、当該端末装置への操作権限の付与を取り消すと共に、当該取消から所定期間内に、前記ユーザ搭乗状態検出手段が前記ユーザが離席した座席へのユーザの着席を検出した場合であって、当該着席の検出時点において前記ユーザが離席した座席に対応する端末装置に付与されていた前記機器の操作権限がいずれの端末装置にも付与されていないときには、当該ユーザが着席した座席に対応する端末装置に、前記ユーザが離席する前に当該端末装置に付与されていた前記機器の操作権限を再付与するようにしてもよい。
【００１０】
このようにすることにより、ある座席で操作権限を持って機器を利用していたユーザが短時間だけ所用のために席を離れて、他のユーザがこの機器の操作権限を新たに取得する前に戻ってきたような場合にはこのユーザが席に戻った後、離席前と同じ操作権限をもって離席前と同様に機器を利用し続けることができるようになる。
【００１１】
また、前記課題達成のために、本発明は、自動車に搭載される車載システムを、自動車の各座席に搭乗した複数のユーザによって共用される１または複数の機器と、前記機器の操作入力を前記ユーザから受け付ける、各々各座席に対応して設けられた複数の端末装置と、自動車の各座席へのユーザの搭乗状態を検出するユーザ搭乗状態検出手段と、前記ユーザの操作入力に応じて前記機器の操作を行うことのできる権限である操作権限がいずれの端末装置にも付与されていない場合に、前記端末装置からの前記機器の操作権限の要求に応じて、当該機器の操作権限を当該要求元の端末装置に付与する操作権限制御手段とを含めて構成し、前記操作権限制御手段において、前記ユーザ搭乗状態検出手段がユーザの離席を検出した場合に、当該ユーザが離席した座席に対応する端末装置に前記機器の操作権限が付与されているときにであって、当該離席の検出から所定期間内に、前記ユーザ搭乗状態検出手段がユーザの着席を検出した場合に、当該ユーザが着席した座席に対応する端末装置に、当該ユーザが離席した座席に対応する端末装置に付与されていた前記機器の操作権限を移動し、前記離席の検出から所定期間内に、前記ユーザ搭乗状態検出手段がユーザの着席を検出しなかった場合に、ユーザが離席した座席に対応する端末装置に付与されていた前記機器の操作権限を取り消すようにしたものである。
【００１２】
このようにすることにより、ある座席で操作権限を持って機器を利用していたユーザが席を移った場合には、このユーザは新しい座席で、引き続き操作権限をもって元の座席にいたときと同様に機器を利用し続けることができるようになる。一方で、離席したユーザが席を移ったのではなく、そのまま下車したものである場合には、自動的に、このユーザが使用していた端末装置への機器の操作権限の付与は取り消され、この機器の操作権限を他の端末装置が自由に取得できる状態となる。したがって、他の座席に残ったユーザの、この機器の利用を不必要に制限してしまうことがない。
【００１３】
また、前記課題達成のために、本発明は、自動車に搭載される車載システムを、自動車の各座席に搭乗した複数のユーザによって共用される１または複数の機器と、前記機器の操作入力を前記ユーザから受け付ける、各々各座席に対応して設けられた複数の端末装置と、自動車の各座席へのユーザの搭乗状態を検出するユーザ搭乗状態検出手段と、前記ユーザの操作入力に応じて前記機器の操作を行うことのできる権限である操作権限がいずれの端末装置にも付与されていない場合に、前記端末装置からの前記機器の操作権限の要求に応じて、当該機器の操作権限を当該要求元の端末装置に付与する操作権限制御手段とを含めて構成し、前記操作権限制御手段において、前記ユーザ搭乗状態検出手段がユーザの離席を検出した場合に、当該ユーザが離席した座席に対応する端末装置に前記機器の操作権限が付与されているときであって、当該離席の検出から所定期間内に、前記ユーザ搭乗状態検出手段がユーザの前記離席を検出した座席へのユーザの再着席を検出しなかった場合に、ユーザが離席した座席に対応する端末装置の前記機器の操作権限の付与を取り消すようにしたものである。
【００１４】
このようにすることにより、ある座席で操作権限を持って機器を利用していたユーザが短時間だけ所要のために席を離れて戻ってきたような場合には、このユーザが席に戻った後、引き続き操作権限をもって離席前と同様に機器を利用し続けることができるようになる。一方で、離席したユーザがそのまま戻って来なかった場合には、自動的に、このユーザが使用していた端末装置への機器の操作権限の付与は取り消され、この機器の操作権限を他の端末装置が自由に取得できる状態となる。したがって、他の座席に残ったユーザの、この機器の利用を不必要に制限してしまうことがない。
【００１５】
なお、以上の各車載システムには、前記ユーザ搭乗状態検出手段がユーザの離席を検出した場合に、当該ユーザが離席した座席に対応する端末装置に操作権限が付与されているときには、当該端末装置に操作権限が付与されている前記機器を停止状態または待ち受け状態に制御する機器状態制御手段や、前記ユーザ搭乗状態検出手段がユーザの離席を検出した場合に、当該ユーザが離席した座席に対応する端末装置を停止状態または待ち受け状態に制御する端末状態制御手段を備えることが、省消費エネルギーの観点などから好ましい。
【００１６】
また、以上の車載システムにおいて、前記１または複数の機器は、音声と映像との少なくとも一方を出力するＡＶ機器であって良く、前記端末装置は、当該端末装置に操作権限が付与されている前記ＡＶ機器が出力する映像を表示する表示装置と当該端末装置に操作権限が付与されている前記ＡＶ機器が出力する音声を出力する音声出力装置とのうちの少なくとも一方と、前記機器の操作入力を前記ユーザから受け付ける入力装置とを備えたものであってよい。
【発明の効果】
【００１７】
以上のように、本発明によれば、自動車に搭乗した複数のユーザによって共用される機器を含んで構成される車載システムであって、各ユーザの機器利用の独立性を確保しつつ、各ユーザの車載システムの利用を不必要に制限しない車載システムを提供することができる。
【発明を実施するための最良の形態】
【００１８】
以下、本発明の車載システムの実施形態を車載ＡＶシステムへの適用を例にとり説明する。
図１ａに本実施形態に係るＡＶシステムの構成を示す。
図示するように、本ＡＶシステムは、運転席搭乗ユーザ用のモニタシステムである第１モニタシステム１、助手席搭乗ユーザ用のモニタシステムである第２モニタシステム２、後部右座席搭乗ユーザ用のモニタシステムである第３モニタシステム３、後部左座席搭乗ユーザ用のモニタシステムである第４モニタシステム４、第１ＤＶＤプレイヤ５と第２ＤＶＤプレイヤ６との二つのＤＶＤプレイヤ、デジタルＴＶ放送チューナ７、車内監視装置８、以上各部を接続する車内ネットワーク９とを備えている。ここで、各モニタシステムは、図１ｂに示すように、それぞれ対応する座席前方の位置に配置されている。なお、以下では、第１モニタシステム１と第２モニタシステム２と第３モニタシステム３と第４モニタシステム４とを「モニタシステム」と総称し、１ＤＶＤプレイヤと第２ＤＶＤプレイヤ６とデジタルＴＶ放送チューナ７を「機器」と総称する。
【００１９】
さて、各モニタシステムは、表示装置であるディスプレイ１１と、オーディオアンプやスピーカなどから構成されるスピーカシステム１２と、入力装置１３と、以上各部の制御を行うモニタ制御部１４とを有する。そして、各ＤＶＤプレイヤは、自装置に対する操作権限を持つモニタシステムを管理する操作権限管理部５１と、ＤＶＤのビデオ再生を行うプレイヤ機能部５２とを有する。また、デジタルＴＶ放送チューナ７は、自装置に対する操作権限を持つモニタシステムを管理する操作権限管理部７１と、デジタルＴＶ放送の受信出力を行うチューナ機能部７２とを有する。そして、車内監視装置８は、車内を撮影する車内カメラ８１と、車内カメラ８１が撮影した車内の映像より、車内各座席のユーザの搭乗の有無を検出する監視制御部８２とを有する。ここで、車内カメラ８１は、たとえば、図１ｂに示すように、車内前方の天井などに、各座席のようすを撮影可能なように配置される。
【００２０】
さて、このような構成において、車内監視装置８の監視制御部８２は、車内カメラ８１が撮影した映像に対して所定の画像認識処理を施して各座席へのユーザの着席／離席を検出し、着席を検出した場合には対応ユーザ着席通知を着席を検出した座席に対応するモニタシステムに通知し、離席を検出した場合には対応ユーザ離席通知を離席を検出した座席に対応するモニタシステムに通知する。すなわち、運転席へのユーザの着席を検知したならば、第１モニタシステム１のモニタ制御部１４に車内ネットワーク９を介して対応ユーザ着席通知を発行し、運転席からのユーザの離席を検知したならば、第１モニタシステム１のモニタ制御部１４に車内ネットワーク９を介して対応ユーザ離席通知を発行する。また、助手席へのユーザの着席を検知したならば、第２モニタシステム２のモニタ制御部１４に車内ネットワーク９を介して対応ユーザ着席通知を発行し、助手席からのユーザの離席を検知したならば、第２モニタシステム２のモニタ制御部１４に車内ネットワーク９を介して対応ユーザ離席通知を発行する。同様に、後部右座席へのユーザの着席を検知したならば、第３モニタシステム３のモニタ制御部１４に車内ネットワーク９を介して対応ユーザ着席通知を発行し、後部右座席からのユーザの離席を検知したならば、第３モニタシステム３のモニタ制御部１４に車内ネットワーク９を介して対応ユーザ離席通知を発行する。そして、後部左座席へのユーザの着席を検知したならば、第４モニタシステム４のモニタ制御部１４に車内ネットワーク９を介して対応ユーザ着席通知を発行し、後部左座席からのユーザの離席を検知したならば、第４モニタシステム４のモニタ制御部１４に車内ネットワーク９を介して対応ユーザ離席通知を発行する。
【００２１】
次に、ＤＶＤプレイヤの操作権限管理部５１は、自装置に対する操作権限の状態を管理する。すなわち、操作権限の状態がフリーすなわち自装置の操作権限を持つモニタシステムが存在しない状態において、いずれかのモニタシステムから操作権限取得を要求されたならば、要求元のモニタシステムに操作権限を付与し、操作権限の状態を、操作権限を付与したモニタシステムが自装置の操作権限を持つ状態とする。また、自装置の操作権限を持つモニタシステムから、操作権限解放が通知されたならば、操作権限の状態をフリーとする。また、操作権限管理部５１は、任意のモニタシステムから管理している操作権限の状態の問い合わせを受けたならば、これを通知する。
【００２２】
また、操作権限管理部５１は、プレイヤ機能部５２の動作に関する操作コマンドについては、自装置の操作権限を持つモニタシステムからの操作コマンドのみを受け付けて、プレイヤ機能部５２に転送し、プレイヤ機能部５２に当該操作コマンドに応じた動作を行わせる。なお、操作権限がフリーの状態では、いずれのモニタシステムからのプレイヤ機能部５２の操作コマンドも受け付けない。
【００２３】
また、デジタルＴＶ放送チューナ７の操作権限管理部７１も、同様に、自装置に対する操作権限の状態を管理する。すなわち、操作権限の状態がフリーすなわち自装置の操作権限を持つモニタシステムが存在しない状態において、いずれかのモニタシステムから操作権限取得を要求されたならば、要求元のモニタシステムに操作権限を付与し、操作権限の状態を、操作権限を付与したモニタシステムが自装置の操作権限を持つ状態とする。また、自装置の操作権限を持つモニタシステムから、操作権限解放が通知されたならば、操作権限の状態をフリーとする。また、操作権限管理部７１は、任意のモニタシステムから管理している操作権限の状態の問い合わせを受けたならば、これを通知する。
【００２４】
また、操作権限管理部７１は、チューナ機能部７２の動作に関する操作コマンドについては、自装置の操作権限を持つモニタシステムからの操作コマンドのみを受け付けて、チューナ機能部７２に転送し、チューナ機能部７２に当該操作コマンドに応じた動作を行わせる。なお、操作権限がフリーの状態では、いずれのモニタシステムからのチューナ機能部７２の操作コマンドも受け付けない。
【００２５】
以下、各モニタシステムのモニタ制御部１４の動作について説明する。
図２に、モニタ制御部１４が行う操作制御処理の手順を示す。
図示するように、モニタ制御は起動すると、まず、自モニタシステムの状態をスリープ状態に設定し（ステップ２０２）、車内監視装置８から対応ユーザ着席通知を受信するのを待つ（ステップ２０４）。ここでスリープ状態とは、ディスプレイ１１やスピーカシステム１２への電力供給をオフとすることなどにより、省エネルギー等を図るモードである。
【００２６】
次に、車内監視装置８から対応ユーザ着席通知を受信したならば、自モニタシステムの状態をアクティブ状態（スリープ状態を解除した通常の稼働状態）に設定し（ステップ２０６）、車内監視装置８からの対応ユーザ離席通知の受信と（ステップ２０８）と、入力装置１３を介したユーザの機器操作の入力と（ステップ２１０）、入力装置１３を介したモニタシステムの電源オフ操作の入力と（ステップ２１２）を監視する。なお、ユーザの機器操作とは、第１ＤＶＤプレイヤ５または第２ＤＶＤプレイヤ６またはデジタルＴＶ放送チューナ７を対象とするユーザの操作を言う。
【００２７】
そして、入力装置１３へのユーザ操作があったならば（ステップ２１０）、そのユーザ操作が操作の対象としている機器（第１ＤＶＤプレイヤ５または第２ＤＶＤプレイヤ６またはデジタルＴＶ放送チューナ７）を操作対象機器として識別し（ステップ２３０）、自モニタシステムが操作対象機器の操作権限を持っているかどうかを判定する（ステップ２３２）。自モニタシステムが操作対象機器の操作権限を持っているかどうかは、操作対象機器の操作権限管理部５１／７１に、当該操作対象機器の操作権限の状態を問い合わせることにより、当該問い合わせの応答として操作対象機器の操作権限の状態を取得し、取得した操作権限の状態に従って、自モニタシステムが操作対象機器の操作権限を持っているかどうかを判定することにより行う。
【００２８】
次に、自モニタシステムが操作対象機器の操作権限を持っていると判定できた場合には（ステップ２３２）、ステップ２１０で発生したユーザ操作に応じた操作コマンドを操作対象機器に発行する（ステップ２３４）。そして、車内監視装置８からの対応ユーザ離席通知の受信と（ステップ２０８）と、入力装置１３へのユーザの機器操作の入力と（ステップ２１０）、入力装置１３を介したモニタシステムの電源オフ操作の入力と（ステップ２１２）の発生の監視に戻る。
【００２９】
ここで、ユーザ操作に応じた操作コマンドには、操作対象機器が第１ＤＶＤプレイヤ５や第２ＤＶＤプレイヤ６であれば、プレイヤ機能部５２のＤＶＤの再生動作の制御（再生開始、一時停止、早送りなど）を指示するコマンドがある。ここで、第１ＤＶＤプレイヤ５や第２ＤＶＤプレイヤ６の、プレイヤ機能部５２は、操作コマンドに従った動作を行って再生した映像／音声を、操作コマンド発行元のモニタシステムに車内ネットワーク９を介して出力する。また、操作対象機器がデジタルＴＶ放送チューナ７であれば、ユーザ操作に応じた操作コマンドには、チューナ機能部７２の受信動作の制御（受信バンド、受信チャネル変更など）がある。ここで、デジタルＴＶ放送チューナ７のチューナ機能部７２は、操作コマンドに従った動作を行って受信した映像／音声を、操作コマンド発行元のモニタシステムに車内ネットワーク９を介して出力する。
【００３０】
なお、車内ネットワーク９を介して映像／音声を受け取ったモニタシステムのモニタ制御部１４は、映像をディスプレイ１１に表示し、音声をスピーカシステム１２から出力する。
さて、ステップ２３２に戻り、自モニタシステムが操作対象機器の操作権限を持っていなかった場合には、操作対象機器以外の機器の操作権限を持っているかどうかを調べる（ステップ２４８）。なお、自モニタシステムが操作権限を持つ機器は、各機器に操作権限状態を問い合わせることにより識別しても良いし、モニタ制御部１４において、操作権限取得の要求を発行することにより操作権限を取得した機器を、自モニタシステムが操作権限を持つ機器として、操作権限解放の通知によって当該操作権限を解放するまで管理することにより識別するようにしてもよい。
【００３１】
そして、操作対象機器以外の機器の操作権限を持っていなければ、そのままステップ２５０に進む。一方、操作対象機器以外の機器の操作権限を持っていれば、その操作権限を持つ機器に対して、電源断を指示する操作コマンドを発行して待ち受け状態に設定すると共に（ステップ２５６）、当該機器に操作権限解放の通知を発行し、当該機器の操作権限を解放し（ステップ２５８）、ステップ２５０に進む。
【００３２】
ここで、第１ＤＶＤプレイヤ５と第２ＤＶＤプレイヤ６とデジタルＴＶ放送チューナ７の電源状態には、電源断状態と電源投入状態がある。そして、電源投入状態は通常の稼働状態を指す。また、電源断状態は、第１ＤＶＤプレイヤ５と第２ＤＶＤプレイヤ６であれば、プレイヤ機能部５２が待ち受け状態で動作している状態（電源投入を指示する操作コマンドに応じて各部への電力供給を開始する機能部のみに電力が供給されている状態）を、デジタルＴＶ放送チューナ７であれば、チューナ機能部７２が待ち受け状態で動作している状態を指す。
【００３３】
さて、ステップ２５０では、操作対象機器から取得した操作権限の状態に基づいて、当該操作対象機器の操作権限がフリーの状態にあるかどうかを判定する。そして、操作権限がフリーの状態にあれば、操作権限取得の要求を操作対象機器に車内ネットワーク９を介して発行することにより、操作対象機器の操作権限を取得する（ステップ２５２）。また、電源投入を指示する操作コマンドを操作対象機器に発行し、操作対象機器を電源投入状態とした上で（ステップ２５４）、ステップ２１０で発生したユーザ操作に応じた操作コマンドを操作対象機器に発行する（ステップ２３４）。そして、車内監視装置８からの対応ユーザ離席通知の受信と（ステップ２０８）と、入力装置１３へのユーザの機器操作の入力と（ステップ２１０）、入力装置１３を介したモニタシステムの電源オフ操作の入力と（ステップ２１２）の発生の監視に戻る。
【００３４】
一方、ステップ２５０において、操作対象機器が操作権限がフリーの状態にないと判定された場合には、他のユーザに操作対象機器の操作権限があるためステップ２１０で発生したユーザ操作は行えない旨のメッセージをディスプレイ１１に表示し（ステップ２６０）、車内監視装置８からの対応ユーザ離席通知の受信と（ステップ２０８）と、入力装置１３へのユーザの機器操作の入力と（ステップ２１０）、入力装置１３を介したモニタシステムの電源オフ操作の入力と（ステップ２１２）の発生の監視に戻る。
【００３５】
さて、車内監視装置８からの対応ユーザ離席通知の受信と（ステップ２０８）と、入力装置１３へのユーザの機器操作の入力と（ステップ２１０）、入力装置１３を介したモニタシステムの電源オフ操作の入力と（ステップ２１２）の発生の監視中に、車内監視装置８から、対応ユーザ離席通知を受信した場合には（ステップ２０８）、自モニタシステムをスリープ状態に設定した上で（ステップ２２６）、自モニタシステムが操作権限を持つ機器が存在するかどうかを調べる（ステップ２２８）。
【００３６】
そして、自モニタシステムが操作権限を持つ機器が存在しない場合には（ステップ２２８）、ステップ２０４に戻って、車内監視装置８からの対応ユーザ着席通知の受信を待つ。
一方、自モニタシステムが操作権限を持つ機器が存在する場合には、当該機器に電源断を指示する操作コマンドを発行して待ち受け状態に設定する（ステップ２３６）。そして、所定のタイムアウト時間（たとえば、５分）を持つタイマをスタートし（ステップ２３８）、対応ユーザ着席通知の受信と（ステップ２４０）、タイムアウトの発生（ステップ２４２）を監視する。そして、タイムアウト発生前に、対応ユーザ着席通知を受信したならば（ステップ２３８）、自モニタシステムが操作権限を持つ機器に電源投入を指示する操作コマンドを発行し、操作対象機器を電源投入状態とした上で（ステップ２４６）、ステップ２０６に進んで、自モニタシステムをアクティブ状態とし、車内監視装置８からの対応ユーザ離席通知の受信と（ステップ２０８）と、入力装置１３へのユーザの機器操作の入力と（ステップ２１０）、入力装置１３を介したモニタシステムの電源オフ操作の入力と（ステップ２１２）の発生の監視に戻る。
【００３７】
一方、対応ユーザ着席通知を受信することなくタイマがタイムアウトした場合には（ステップ２４２）、自モニタシステムが操作権限を持つ機器に車内ネットワーク９を介して操作権限解放を通知して、当該機器の操作権限を解放した上で（ステップ２４４）、ステップ２０４に戻り、車内監視装置８からの対応ユーザ着席通知の受信を待つ。
【００３８】
次に、車内監視装置８からの対応ユーザ離席通知の受信と（ステップ２０８）と、入力装置１３へのユーザの機器操作の入力と（ステップ２１０）、入力装置１３を介したモニタシステムの電源オフ操作の入力と（ステップ２１２）の発生の監視中に、入力装置１３を介したモニタシステムの電源オフ操作の入力が発生した場合には（ステップ２１２）、まず、自モニタシステムをスリープ状態に設定し（ステップ２１４）、自モニタシステムが操作権限を持つ機器が存在するかどうかを調べ（ステップ２１６）、存在していなければステップ２２２に進み、存在している場合には、存在した機器に電源断を指示する操作コマンドを発行して待ち受け状態に設定すると共に（ステップ２１８）、当該機器に車内ネットワーク９を介して操作権限解放を通知して、当該機器の操作権限を解放した上で（ステップ２２０）、ステップ２２２に進む。
【００３９】
そして、ステップ２２２に進んだならば、入力装置１３を介したモニタシステムの電源オン操作の入力と（ステップ２２２）、車内監視装置８からの対応ユーザ離席通知の受信と（ステップ２２４）の発生を監視し、入力装置１３を介したモニタシステムの電源オン操作の入力があれば（ステップ２２２）ステップ２０６に進んで、自モニタシステムをアクティブ状態とし、車内監視装置８からの対応ユーザ離席通知の受信と（ステップ２０８）と、入力装置１３へのユーザの機器操作の入力と（ステップ２１０）、入力装置１３を介したモニタシステムの電源オフ操作の入力と（ステップ２１２）の発生の監視に戻る。一方、対応ユーザ離席通知を受信した場合には（ステップ２２４）、ステップ２０４に進んで車内監視装置８からの対応ユーザ着席通知の受信を待つ。
【００４０】
以上、各モニタシステムのモニタ制御部１４の動作について説明した。
以上のように、本実施形態によれば、ある座席で操作権限を持って機器を利用していたユーザが、機器の利用の終了操作を行うことなく途中下車してしまった場合には、ステップ２３２でスタートするタイマのタイムアウト時間経過後に、自動的に、このユーザが使用していたモニタシステムへの機器の操作権限の付与は取り消され、この機器の操作権限を他のモニタシステムが自由に取得できる状態となる。したがって、他の座席に残ったユーザの、この機器の利用を不必要に制限してしまうことがない。一方で、ある座席で操作権限を持って機器を利用していたユーザがタイマのタイムアウト時間内の短時間だけ所用のために席を離れて戻ってきたような場合には、このユーザが席に戻った後、引き続き離席前と同様に操作権限をもって機器を利用し続けることができるようになる。
【００４１】
なお、ステップ２３２でスタートするタイマのタイムアウト時間を０として、ユーザが離席した座席のモニタシステムが保持していた操作権限を離席後直ちに解放するようにしてもよい。このようにしても、ある座席で操作権限を持って機器を利用していたユーザが、機器の利用の終了操作を行うことなく途中下車してしまった場合に、他の座席に残ったユーザの、この機器の利用を不必要に制限してしまうことを排除することができる。
【００４２】
また、以上の実施形態は、各モニタシステムにおいて、モニタ制御部１４が入力装置１３を介してユーザから操作権限維持の設定を受け付けるようにし、操作権限維持の設定が行われているときには、ステップ２３２でスタートするタイマのタイムアウト時間を、より大きな時間（たとえば、３０分）に設定するようにして実施してもよい。また、この場合において、ユーザから操作権限維持の設定がなされていない場合のみ、ステップ２３２でスタートするタイマのタイムアウト時間を０として、ユーザが離席した座席のモニタシステムが保持していた操作権限を離席後直ちに解放するようにしてもよい。または、操作権限維持の設定が行われているときには、対応ユーザ離席通知を受信しても、ステップ２０８において対応ユーザ離席通知を受信していないものとして取り扱うようにしてもよい。
【００４３】
このようにすることにより、自動車に戻ってくる予定のあるユーザは、操作権限維持の設定をしてから離席すれば、戻ってくるまでに長時間を要した場合であっても、席に戻った後に、引き続き離席前と同様に操作権限をもって機器を利用し続けることができるようになる。
【００４４】
また、以上の実施形態では、各モニタ装置において、分散的に第１ＤＶＤプレイヤ５や第２プレイヤやデジタルＴＶ放送チューナ７の操作権限や電源断の制御を行ったが、これは別途、図３ａに示すように、制御装置１００を車内ネットワーク９に接続した形態で設け、この制御装置１００において、以上のような操作権限や電源断の制御を統括的に行うようにしてもよい。
【００４５】
また、この場合には、以上の操作権限や電源断の制御は、次のように行うようにしてもよい。
すなわち、１ＤＶＤプレイヤや第２プレイヤやデジタルＴＶ放送チューナ７の操作権限の状態として、特定のモニタシステムが操作権限を持っている状態と、いずれのモニタシステムも操作権限をもっていないフリーの状態の他、操作権限の付与が保留されている状態との三つの状態を用いる。また、制御装置１００に、図３ｂに示すような、第１ＤＶＤプレイヤ５や第２プレイヤやデジタルＴＶ放送チューナ７の操作権限を管理する機器管理テーブルを備える。
【００４６】
そして、第１ＤＶＤプレイヤ５や第２プレイヤやデジタルＴＶ放送チューナ７の操作権限管理部５１／７１は、自身の操作権限を制御装置１００から受けつけ設定する。また、操作権限管理部５１／７１は、自装置の操作権限を持つモニタシステムからの操作コマンドのみを受け付けて、プレイヤ機能部５２やチューナ機能部７２に転送して、その操作コマンドに応じた動作を制御する他、電源断／投入の操作コマンドについては、制御装置１００から送られた電源断／投入の操作コマンドを受け付けて、機器の電源断／投入の状態を制御する。
【００４７】
また、車内監視装置８は、各座席のユーザの着席／離席を検知したならば、ユーザが着席／離席した座席の識別を伴うユーザ着席／離席通知を車内ネットワーク９を介して制御装置１００に通知する。
そして、各モニタシステムのモニタ制御部１４は、入力装置１３で第１ＤＶＤプレイヤ５や第２プレイヤやデジタルＴＶ放送チューナ７などの機器を対象とするユーザの機器操作を受け付けた場合に、自モニタシステムがその操作の対象とする機器の操作権限を持っていない場合には、制御装置１００に、当該機器についての操作権限取得要求を発行することにより、制御装置１００から当該機器の操作権限を取得する。一方、操作の対象とする機器の操作権限を持っている場合には、ユーザの機器操作に応じた操作コマンドを当該機器に車内ネットワーク９を介して発行する。
また、モニタ制御部１４は、制御装置１００からの車内ネットワーク９を介した制御に従って、自モニタシステムのスリープ／アクティブ状態を切り替える機能を持つ。また、入力装置１３を介してユーザからモニタシステムの電源オフ操作を受け付けた場合には、自モニタシステムをスリープ状態とすると共に、操作権限解放要求を車内ネットワーク９を介して制御装置１００に発行する。また、入力装置１３を介してユーザからモニタシステムの電源オン操作を受け付けた場合には、自モニタシステムをアクティブ状態とする。また、制御装置１００の端末として、自モニタシステムのユーザと制御装置１００との間の表示装置と入力装置１３を用いたインタフェースを制御装置１００に提供する機能を持つ。
【００４８】
そして、制御装置１００は、図４に示すような機器状態制御処理を行う。
すなわち、制御装置１００は処理を開始すると、いずれかのモニタシステムからの操作権限取得要求の受信と（ステップ４０２）、モニタシステムからの操作権限解放要求の受信と（ステップ４０４）、車内監視装置８からのユーザ離席通知の受信と（ステップ４０６）、車内監視装置８からのユーザ着席通知の受信と（ステップ４０８）を監視する。以下、このステップ４０２-４０８の監視を行っている状態をイベント監視状態と呼ぶ。
【００４９】
そして、いずれかのモニタシステムからの操作権限取得要求を受信したならば（ステップ４０２）、機器管理テーブルを参照して、操作権限取得要求の発行元が操作権限を有している機器（第１ＤＶＤプレイヤ５または第２ＤＶＤプレイヤ６またはデジタルＴＶ放送チューナ７）を抽出し、抽出した機器に電源断を指示する操作コマンドを発行することにより、当該機器を待ち受け状態にすると共に（ステップ４１０）、操作権限取得要求元のモニタシステムの当該機器の操作権限を解放する（ステップ４１２）。この操作権限の解放は、当該機器に操作権限の状態をフリーに設定するように指示すると共に、機器管理テーブルの当該機器の操作権限の状態をフリーに設定し、操作権限取得要求発行元のモニタシステムに当該機器の操作権限の解放を通知することにより行う。
【００５０】
そして、受信した操作権限取得要求によって操作権限が要求されている機器の操作権限の状態がフリーであるかどうかを機器管理テーブルを参照して調べ（ステップ４１４）、フリーであれば、受信した操作権限取得要求によって操作権限が要求されている機器の電源を、電源投入を指示する操作コマンドを発行することにより投入し（ステップ４１６）、当該機器の操作権限を操作権限取得要求発行元のモニタシステムに付与する（ステップ４１８）。そして、ステップ４０２-４０８のイベント監視状態に戻る。
【００５１】
ここで、この操作権限の付与は、当該機器に操作権限の状態を操作権限取得要求元のモニタシステムが操作権限を持つ状態に設定するように指示すると共に、機器管理テーブルの当該機器の操作権限状態に操作権限取得要求元のモニタシステムを登録し、操作権限取得要求発行元のモニタシステムに当該機器の操作権限の付与を通知することにより行う。ここで、各モニタシステムのモニタ制御部１４は、ある機器についての操作権限の付与を通知されてから操作権限の解放を通知されるまでの間、当該機器の操作権限を自モニタシステムが保持しているものとして管理する。
【００５２】
次に、ステップ４１４において、受信した操作権限取得要求によって操作権限が要求されている機器の操作権限の状態がフリーでないと判定された場合には、機器管理テーブルを参照して、当該機器の操作権限状態が保留中であるかどうかを調べる（ステップ４２０）。そして、操作権限状態が保留中でなければ、操作権限取得要求元のモニタシステムに要求拒否を通知し（ステップ４２６）、ステップ４０２-４０８のイベント監視状態に戻る。なお、機器の操作権限が保留中となるのは、後述するように、最近離席したユーザが着席していた座席のモニタシステムが、当該離席まで当該機器の操作権限を保持していた場合となる。
【００５３】
一方、ステップ４２０において、操作権限取得要求によって操作権限が要求されている機器の操作権限の状態が保留中と判定された場合には、操作権限取得要求元のモニタシステムのモニタ制御部１４に、操作権限が保留中の機器の操作権限を取得するかどうかの問い合わせのディスプレイ１１への表示と、取得の要否の指示の入力装置１３による受付と、受け付けた指示の報告を行わせる（ステップ４２２）。そして、取得しない旨の報告があれば（ステップ４２４）、そのまま、ステップ４０２-４０８のイベント監視状態に戻る。
【００５４】
一方、取得の旨の報告があれば（ステップ４２４）、受信した操作権限取得要求によって操作権限が要求されている機器の電源を投入し（ステップ４１６）、当該機器の操作権限を操作権限取得要求発行元のモニタシステムに付与する（ステップ４１８）。そして、ステップ４０２-４０８のイベント監視状態に戻る。
【００５５】
次に、ステップ４０２-４０８のイベント監視状態中に、モニタシステムからの操作権限解放要求を受信した場合には（ステップ４０４）、機器管理テーブルを参照して、操作権限取得要求の発行元が操作権限を有している機器を抽出し、抽出した機器に電源断を指示する操作コマンドを発行することにより、当該機器を待ち受け状態にすると共に（ステップ４２８）、操作権限取得要求元のモニタシステムの当該機器の操作権限を、当該機器の操作権限の解放を通知することにより解放する（ステップ４３０）。そして、ステップ４０２-４０８のイベント監視状態に戻る。
【００５６】
次に、ステップ４０２-４０８のイベント監視状態中に、車内監視装置８からユーザ離席通知を受信した場合には、（ステップ４０６）、ユーザが離席した座席のモニタシステムをスリープ状態に制御する（ステップ４３２）。そして、ユーザが離席した座席のモニタシステムが操作権限を持つ機器が存在するかどうかを機器管理テーブルを参照して調べ（ステップ４３４）、存在しなければ、そのままステップ４０２-４０８のイベント監視状態に戻る。
【００５７】
一方、ユーザが離席した座席のモニタシステムが操作権限を持つ機器が存在する場合には（ステップ４３４）、当該機器に電源断を指示する操作コマンドを発行して待ち受け状態とすると共に（ステップ４３６）、ユーザが離席した座席のモニタシステムの操作権限を解放すると共に、当該機器の操作権限状態を保留中に設定し、この機器の操作権限状態を監視する保留操作権限監視処理を起動する（ステップ４３８）。そして、ステップ４０２-４０８のイベント監視状態に戻る。
【００５８】
ここで、機器の操作権限状態の保留中への設定は、機器管理テーブルの当該機器の操作権限状態に保留中を設定すると共に、当該機器の操作権限制御部に操作権限状態として保留中を設定させることにより行う。また、ステップ４３８で起動する保留操作権限監視処理は、機器管理テーブルを参照して求まる監視対象の機器の操作権限状態が、一定時間（たとえば、１０分）以上保留中のまま継続したならば、機器管理テーブルの当該機器の操作権限状態にフリーを設定すると共に、当該機器の操作権限制御部に操作権限状態としてフリーを設定させることにより、当該機器の操作権限状態をフリーに変更して動作を終了する処理である。
【００５９】
次に、ステップ４０２-４０８のイベント監視状態中に、車内監視装置８からユーザ着席通知を受信したならば（ステップ４０８）、ユーザが着席したユーザが離席した座席のモニタシステムのスリープ状態を解除してアクティブ状態とする（ステップ４４０）。
そして、機器管理テーブルを参照して、操作権限の状態が保留中の機器が存在するかどうかを調べ（ステップ４４２）、存在しなければステップ４０２-４０８のイベント監視状態に戻る。
一方、操作権限の状態が保留中の機器が存在する場合には（ステップ４４２）、ユーザが着席した座席のモニタシステムのモニタ制御部１４に、操作権限が保留中の機器の操作権限を取得するかどうかの問い合わせをディスプレイ１１への表示と、取得の要否の指示の入力装置１３による受付と、受け付けた指示の報告を行わせる（ステップ４４４）。そして、取得しない旨の報告があれば（ステップ４４６）、そのまま、ステップ４０２-４０８のイベント監視状態に戻る。
【００６０】
一方、取得の旨の報告があれば（ステップ４４６）、操作権限状態が保留中の機器の電源を投入し（ステップ４４８）、当該機器の操作権限をユーザが着席した座席のモニタシステムに付与する（ステップ４５０）。そして、ステップ４０２-４０８のイベント監視状態に戻る。
【００６１】
以上、制御装置１００の機器状態制御処理について説明した。
このような制御装置１００の機器状態制御処理によれば、ある座席で操作権限を持って機器を利用していたユーザが、機器の利用の終了操作を行うことなく途中下車してしまった場合には、自動的に、このユーザが使用していたモニタシステムへの機器の操作権限の付与は取り消され、この機器の操作権限は一定期間保留中とされた後フリーに設定される。そして、保留中である機器の操作権限は、他のモニタシステムが、ユーザの明示的な指示を前提として取得することができ、フリーである機器の操作権限は、他のモニタシステムが、自由に取得することができる。したがって、他の座席に残ったユーザの、この機器の利用を不必要に制限してしまうことがない。
また、保留中の操作権限の取得にはユーザの明示的な指示を必要としているので、離席したユーザが、短時間で席に戻ってくるような場合や席を移るだけである場合に、他のユーザが、この離席したユーザが利用していた機器であって車内に戻ってきた後に再び利用するであろう機器であることを知らずに、当該機器の操作権限を取得してしまうことを抑制することができる。一方で、操作権限が保留中である機器が存在する場合に着席したユーザは、この機器の操作権限を即座に取得することができる。したがって、離席したユーザが、短時間で元の席に戻ったり他の席に移動した場合に、離席前と同様な操作権限を回復して離席前と同様に機器を利用し続けることができるようにすることを支援することができる。
【００６２】
ところで、以上の機器状態制御処理は、ステップ４２０-４２６を排して、ステップ４１２で操作権限取得要求で操作権限を要求された機器の操作権限の状態がフリーでない場合には、そのままステップ４０２-４０８のイベント監視状態に戻るようにしてもよい。
このようにすることにより、ある座席で操作権限を持って機器を利用していたユーザが離席した後に、短時間で、元の席に戻ったり、他の席に移動する前に、席に残った他のユーザが当該機器の操作権限を取得してしまうことを抑止することができる。
また、以上機器状態制御処理は、ステップ４４２において、操作権限が保留中の機器あり、かつ、ステップ４０８で通知されたユーザ着席通知が、保留中の操作権限が直前に与えられていた座席へのユーザ着席を示すものである場合にのみステップ４４４に進み、他の場合には、そのままステップ４０２-４０８のイベント監視状態に戻るようにしてもよい。また、この場合には、ステップ４４６を省略し、ステップ４４４実行後にそのままステップ４４８に進むようにしてもよい。
【００６３】
このようにすることにより、離席したユーザが、他のユーザが当該機器の操作権限を取得する前に、元の席に戻った場合にのみ離席前と同様に機器を利用し続けることができるようにすることができる。
なお、以上の各実施形態では、車内監視装置８において、車内の各座席のユーザの着席／離席を検出するために車内カメラ８１を用いたが、これは、車内カメラ８１に代えて、座席にユーザによって加わる荷重を検出する荷重センサなどの車内の各座席のユーザの着席／離席を検出するできる任意のセンサを用いるようにしてもよい。
【図面の簡単な説明】
【００６４】
【図１】本発明の実施形態に係るＡＶシステムの構成と配置を示すブロック図である。
【図２】本発明の実施形態に係る操作制御処理を示すフローチャートである。
【図３】本発明の実施形態に係るＡＶシステムの他の構成例を示す図である。
【図４】本発明の実施形態に係る機器状態制御処理を示すフローチャートである。
【符号の説明】
【００６５】
１…第１モニタシステム、２…第２モニタシステム、３…第３モニタシステム、４…第４モニタシステム、５…第１ＤＶＤプレイヤ、６…第２ＤＶＤプレイヤ、７…デジタルＴＶ放送チューナ、８…車内監視装置、９…車内ネットワーク、１１…ディスプレイ、１２…スピーカシステム、１３…入力装置、１４…モニタ制御部、５１…操作権限管理部、５２…プレイヤ機能部、７１…操作権限管理部、７２…チューナ機能部、８１…車内カメラ、８２…監視制御部、１００…制御装置。
【図２】
2006096226.tif 000003
【図３】
2006096226.tif 000004
【図４】
2006096226.tif 000005
【図１】
2006096226.tif 000006